(57)【要約】【課題】車両を媒体として出力される広告の効果を高める。【解決手段】外部に向けて設置された表示装置に広告情報を表示させる広告表示車両の位置情報を取得することと、当該位置情報に基づいて前記広告表示車両の周辺に存在する複数台の広告対象車両を特定することと、当該複数台の広告対象車両に乗車している乗員の属性を示す属性情報を取得することと、前記属性情報に基づいて前記表示装置に表示させる広告情報を選択することと、選択した前記広告情報を前記表示装置に表示させることと、を実行する制御部を有する。【選択図】図１
2020052072.tif 000002
【特許請求の範囲】
【請求項１】
外部に向けて設置された表示装置に広告情報を表示させる広告表示車両の位置情報を取得することと、
当該位置情報に基づいて前記広告表示車両の周辺に存在する複数台の広告対象車両を特定することと、
当該複数台の広告対象車両に乗車している乗員の属性を示す属性情報を取得することと、
前記属性情報に基づいて前記表示装置に表示させる前記広告情報を選択することと、
選択した前記広告情報を前記表示装置に表示させることと、
を実行する制御部を有する、情報処理装置。
【請求項２】
前記制御部が、
前記複数台の広告対象車両の目的地を取得することと、
前記目的地に基づいて前記複数台の広告対象車両をグループに分けることと、
前記グループ毎に、当該グループに分類された車両に乗車している乗員の前記属性情報に基づいて、前記表示装置に表示させる広告を選択することと、
を実行する請求項１に記載の情報処理装置。
【請求項３】
前記制御部が、
前記複数台の広告対象車両の目的地を取得することと、
前記複数台の広告対象車両の車速を取得することと、
前記位置情報、前記目的地、及び前記車速に基づいて、前記広告情報の表示を予定する期間に前記広告表示車両の周辺に存在する複数台の広告対象車両を特定することと、
を実行する請求項１に記載の情報処理装置。
【請求項４】
情報処理装置が、
外部に向けて設置された表示装置を介して広告を出力する広告表示車両の位置情報を取得することと、
当該位置情報に基づいて周辺に存在する複数台の広告対象車両を特定することと、
当該複数台の広告対象車両に乗車している乗員の属性を示す属性情報を取得することと、
前記属性情報に基づいて前記表示装置に表示させる広告を決定することと、
決定した広告情報を前記表示装置に表示させることと、
を実行する、情報処理方法。
【請求項５】
情報処理装置に、
外部に向けて設置された表示装置を介して広告を出力する広告表示車両の位置情報を取得することと、
当該位置情報に基づいて周辺に存在する複数台の車両を特定することと、
当該複数台の車両に乗車している乗員の属性を示す属性情報を取得することと、
前記属性情報に基づいて前記表示装置に表示させる広告を決定することと、
決定した広告情報を前記表示装置に表示させることと、
を実行させるためのプログラム。
【発明の詳細な説明】
【技術分野】
【０００１】
本発明は、車両を媒体とした広告を提供する情報処理技術に関する。
【背景技術】
【０００２】
近年、車両を媒体として広告を行う技術の検討が進められている。例えば、引用文献１では、広告表示装置が、路線バスに設置され、後続の車両のナンバープレートを含む画像を撮影し、当該画像を解析して、後続車両がレンタカーであるか、及び登録地が同じであるかを検出し、この検出結果に応じて、観光用の広告と地元住民用の広告の何れかを表示することが記載されている。
【先行技術文献】
【特許文献】
【０００３】
【特許文献１】特開２０１０−２３７４１１号公報
【発明の概要】
【発明が解決しようとする課題】
【０００４】
車両を媒体として掲出した広告の効果を高めるためには、後続の車両一台だけでなく、周囲に存在する複数の車両に対して適切な広告を出力できることが望まれる。
【０００５】
本発明は上記の課題を考慮してなされたものであり、車両を媒体として出力される広告の効果を高めることを目的とする。
【課題を解決するための手段】
【０００６】
本発明の第一の態様に係る情報処理装置は、
外部に向けて設置された表示装置に広告情報を表示させる広告表示車両の位置情報を取得することと、
当該位置情報に基づいて前記広告表示車両の周辺に存在する複数台の広告対象車両を特定することと、
当該複数台の広告対象車両に乗車している乗員の属性を示す属性情報を取得することと、
前記属性情報に基づいて前記表示装置に表示させる広告情報を選択することと、
選択した前記広告情報を前記表示装置に表示させることと、
を実行する制御部を有することを特徴とする。
【０００７】
また、本発明の第二の態様に係る情報処理方法は、
情報処理装置が、
外部に向けて設置された表示装置を介して広告を出力する広告表示車両の位置情報を取得することと、
当該位置情報に基づいて周辺に存在する複数台の広告対象車両を特定することと、
当該複数台の広告対象車両に乗車している乗員の属性を示す属性情報を取得することと、
前記属性情報に基づいて前記表示装置に表示させる広告を決定することと、
決定した広告情報を前記表示装置に表示させることと、
を実行することを特徴とする。
【０００８】
また、本発明の第三の態様は、上記の情報処理方法をコンピュータに実行させるためのプログラム、または、該プログラムを非一時的に記憶したコンピュータ可読記憶媒体であ
る。
【発明の効果】
【０００９】
本発明によれば、車両を媒体として出力される広告の効果を高めることができる。
【図面の簡単な説明】
【００１０】
【図１】第一実施形態に係る広告表示システムの構成概略図である。
【図２】広告表示車両のシステム構成を示す図である。
【図３】広告表示車両が有する表示装置の位置を説明する図である。
【図４】広告対象車両の構成を示す図である。
【図５】サーバ装置のシステム構成を示す図である。
【図６】広告情報データベースに格納される広告情報テーブルの構成の一例を示す図である。
【図７】広告表示車両、広告対象車両の車載装置、及びサーバ装置が実行する処理手順を示す図である。
【図８】複数の広告対象車両に乗車する乗員の属性情報の一例を示す図である。
【図９】第二実施形態に係る広告対象車両の構成を示す図である。
【図１０】第二実施形態に係る、広告表示車両、広告対象車両の車載装置、及びサーバ装置が実行する処理手順を示す図である。
【図１１】変形例に係る広告対象車両の構成を示す図である。
【図１２】変形例に係る、広告表示車両、広告対象車両の車載装置、及びサーバ装置が実行する処理手順を示す図である。
【発明を実施するための形態】
【００１１】
本実施形態に係る広告表示システムは、広告表示車両（広告宣伝車）が、外部に向けて設置された表示装置に広告情報を表示させ、周囲に存在する車両の乗員に対して広告を行う。この場合、例えば、直後を走行する特定の一台から情報を取得し、この車両に合わせて広告情報を表示したのでは、周囲を走行する別の車両にとっては関係のない広告情報が表示されることになり、広告効果が限定されてしまう。
【００１２】
そこで、本実施形態に係る広告表示システムは、情報処理装置が、広告表示車両の周辺に存在する複数台の車両に乗車している乗員の属性情報を取得し、この属性情報に基づいて表示装置に表示させる広告を決定して、表示装置に表示させる。これにより本実施形態に係る情報処理装置は、広告表示車両の周辺を走行する多くの車両の乗員にとって関心のある広告情報を表示し、広告の効果を高めることができる。
【００１３】
本実施形態において、広告表示車両（広告宣伝車）は、広告媒体として広告情報を表示出力する表示装置を備えた車両である。広告対象車両は、広告表示車両の周辺を走行し、広告表示車両によって表示された広告を見る乗員が乗っている車両である。広告表示車両及び広告対象車両は、共に車両の種別が限定されるものではなく、例えば、バス、トラック、タクシー、乗用車、路面電車等の移動手段であればよい。また、広告表示車両及び広告対象車両は、例えば、自転車、自動二輪車、路面電車等の移動手段を含んでもよい。
【００１４】
また、本実施形態において、乗員は、車両に乗っている人であればよく、運転者や乗務員に限らない。乗員の属性情報は、例えば、乗員の年齢、性別、居住地、家族構成、職業、趣味、購入履歴、広告のジャンル等である。ここで、購入履歴とは、乗員が購入した商品（サービスも含む）の情報を蓄積したものであり、例えば、乗員（ユーザ）が店舗で商品を購入した場合に、店舗の情報処理装置が、この商品や、購入日、購入金額等の情報をユーザＩＤと対応付けて記憶したものである。また、広告のジャンルとは、家電や車、映画、スポーツ、旅行など、乗員にとって興味のあるジャンルを示す情報であり、広告の表
示を希望するジャンルを予め乗員が指定し、登録したものである。
【００１５】
乗員の属性情報に基づいて表示する広告情報を決定することで、乗員にとって興味のある広告を的確に表示させることが可能になる。
【００１６】
なお、表示する広告情報の決定は、乗員の属性情報の他、各車両の目的地や車速に基づいて決定してもよい。
【００１７】
また、表示する広告情報は、動画像であっても、静止画像であってもよい。例えば、広告表示車両や広告対象車両の走行状況を取得し、これらの車両が停止している場合には動画像の広告情報を表示させ、これらの車両が走行している場合には静止画像の広告情報を表示させる。
【００１８】
以下、本発明の具体的な実施形態について図面に基づいて説明する。各実施形態に記載されているハードウェア構成、モジュール構成、機能構成等は、特に記載がない限りは発明の技術的範囲をそれらのみに限定する趣旨のものではない。
【００１９】
（第一実施形態）
まず、第一実施形態に係る広告表示システム１００の構成を図１に示す。本実施形態に係る広告表示システム１００は、広告表示車両１０と、複数の広告対象車両２０と、サーバ装置３０とを含んで構成される。
【００２０】
広告表示車両１０は、車両の外部に複数の表示装置を備えた自動車であり、サーバ装置３０から受信した広告情報を表示装置に表示させることができる。なお、表示させる広告情報は、静止画像であっても、動画像であってもよい。図１の例では、広告表示車両１０を一台のみ示したが、広告表示システム１００に含まれる広告表示車両１０の数は例示したものに限られず、何台であってもよい。
【００２１】
また、広告表示車両１０は、広告の掲出状況に関する情報（例えば、位置情報と、掲出中の広告を識別する情報等）を、サーバ装置３０に周期的に送信する。
【００２２】
広告対象車両２０は、広告表示車両１０が広告を行う対象である乗員を乗せた自動車である。広告対象車両２０が広告表示車両１０の周囲を走行した場合に、広告対象車両２０の乗員は、広告表示車両１０によって表示された広告を見ることができる。
【００２３】
サーバ装置３０は、広告表示車両１０によって表示される広告情報を管理するサーバである。サーバ装置３０は、広告情報や、広告対象車両２０に乗車している乗員の属性情報に関するデータを保持しており、広告表示車両１０に表示させる広告の決定、当該広告の配信、広告を表示した実績の管理（例えば、広告主向けのレポート生成等）などを行う。
【００２４】
複数の広告表示車両１０の走行位置や走行履歴、各広告表示車両１０によって表示された広告の識別子などは、サーバ装置３０によって管理される。
【００２５】
本実施形態に係る広告表示システム１００では、車両１０，２０とサーバ装置３０が、通信回線Ｎによって接続される。通信回線Ｎは、例えば、インターネット等の公衆通信網やその他の通信網が採用されてもよい。また、通信回線Ｎは、携帯電話等の電話通信網や、Ｗｉ−Ｆｉ（登録商標）、ブルートゥース（登録商標）等を用いた無線通信網を含んでもよい。
【００２６】
次に、広告表示車両１０の構成について説明する。図２は、広告表示車両１０のシステ
ム構成を示す図である。
【００２７】
広告表示車両１０は、表示装置１０１、制御部１０２、記憶部１０３、通信部１０４、位置情報取得部１０５、センサ１０６を有して構成される。
【００２８】
表示装置１０１は、広告表示車両１０の外部に設けられた複数の表示装置からなるユニットである。本実施形態では、広告表示車両１０は、図３に示したように、車両の外部に向けて配置された複数の表示装置（表示装置１０１Ａ，表示装置１０１Ｂ，…，表示装置１０１ｎ）を有して構成される（区別する必要がない場合、表示装置１０１と総称する）。なお、広告表示車両１０に設けられた表示装置は一つであってもよい。
【００２９】
表示装置１０１は、液晶ディスプレイ、有機ＥＬディスプレイ、ＬＥＤマトリクス、プロジェクタなどを用いて構成することができる。
【００３０】
表示装置１０１の数は、例えば広告表示車両１０のタイプないし車種に応じて設定される。表示装置１０１は、例えば、左側面、右側面、車両後方、車両上方など、複数の位置に配置することができる。広告表示車両１０がトラックである場合、例えば、左側面、右側面、車両後方に表示装置１０１が配置されてもよい。また、広告表示車両１０がセダンである場合、例えば左側面（前ドア）、左側面（後ドア）、右側面（前ドア）、右側面（後ドア）に表示装置が配置されてもよい。また、天井部に台座を設け、この台座に表示装置１０１が取り付けられてもよい。更に、リアウィンドウに代えて表示装置１０１が設けられてもよい。
【００３１】
なお、表示装置１０１の配設位置は、これ以外であってもよい。例えば、表示装置１０１が、窓ガラスに画像を投影する構成の場合、サイドウインドウや、リアウィンドウに広告の画像を投影（表示）するように配置されてもよい。
【００３２】
制御部１０２は、車両１０が有する機能のうち、広告を出力する機能を司る演算装置である。制御部１０２は、ＣＰＵ（Central Processing Unit）などの演算処理装置によっ
て実現することができる。
【００３３】
制御部１０２は、広告取得部１０２１と、広告出力部１０２２と、通知部１０２３と、走行状況取得部１０２４の機能モジュールを有して構成される。各機能モジュールは、後述する記憶部１０３に記憶されたプログラムをＣＰＵによって実行することで実現してもよい。
【００３４】
広告取得部１０２１は、サーバ装置３０から、表示装置１０１に出力する広告に関するデータ（広告情報）を取得する。広告取得部１０２１は、広告表示車両１０の走行中、定期的、或は所定のタイミングで広告情報を取得する。例えば、広告取得部１０２１は、所定間隔（例えば１分）でサーバ装置３０にアクセスし、次に表示する広告情報を取得する。また、運行を開始する直前、イグニッションをＯＮにしたタイミング、目的地を設定したタイミング、走行を開始したタイミングなどで広告情報を取得してもよい。広告取得部１０２１が取得した広告情報は、後述する記憶部１０３に記憶される。
【００３５】
広告出力部１０２２は、広告情報に含まれる画像等を表示装置１０１に出力する。なお、広告を出力する条件が広告情報に設定されている場合、条件が適合した場合にのみ広告の出力を行うようにしてもよい。また、広告情報によって、表示装置の位置や大きさが指定されている場合、指定に従って出力を行うようにしてもよい。広告情報に音情報が含まれている場合、表示装置１０１のスピーカから音声や楽曲等の音を出力させてもよい。
【００３６】
通知部１０２３は、広告の表示に関する情報をサーバ装置３０に通知する。具体的には、広告表示車両１０の現在位置、現在表示中の広告の識別子（広告ＩＤ）、周辺に存在する広告対象車両２０の数、その他、広告に関する情報を収集し、サーバ装置３０に送信する。
【００３７】
記憶部１０３は、主記憶装置と補助記憶装置を含んで構成される。主記憶装置は、制御部１０２によって実行されるプログラムや、当該制御プログラムが利用するデータが展開されるメモリである。補助記憶装置は、制御部１０２において実行されるプログラムや、当該制御プログラムが利用するデータ（広告情報他）が記憶される装置である。補助記憶装置には、プログラムを実行するためのオペレーティングシステムを記憶してもよい。補助記憶装置に記憶されたプログラムが主記憶装置にロードされ、制御部１０２によって実行されることで、前述した機能が実現される。
【００３８】
通信部１０４は、広告表示車両１０を通信回線Ｎに接続するための無線通信インタフェースである。通信部１０４は、例えば、無線ＬＡＮや３Ｇ、ＬＴＥ等の移動体通信サービスを介して、通信回線Ｎへのアクセスを提供する。
【００３９】
位置情報取得部１０５は、広告表示車両１０の位置情報を取得する手段である。位置情報取得部１０５は、例えば、ＧＰＳ（Global Positioning System）やＧＬＯＮＡＳＳ（Global Navigation Satellite System）等の測位装置を含んで構成され、広告表示車両１
０の位置情報（例えば、緯度と経度）を取得する。測位装置は、衛星測位システムに限らず、加速度センサやジャイロセンサ、地磁気センサ、車速センサ等により、車両の進行方向と車速を検出し、自律的に自車位置を求めてもよい。
【００４０】
センサ１０６は、車両１０に搭載されたセンサの集合である。センサ１０６は、例えば、車速センサ、距離センサといった、速度ないし平均速度に関連する物理量をセンサデータとして取得する一つ以上のセンサを含む。センサ１０６が出力したセンサデータは、走行状況取得部１０２４に送信される。なお、センサ１０６は、必ずしも物理量を取得するものでなくてもよい。例えば、路車間通信や車々間通信によって、車両近傍の混雑度、周辺車両の速度、信号機の制御に関するデータなどを取得してもよい。なお、加速度センサや地磁気センサは、センサ１０６として車両に備えられてもよいし、位置情報取得部１０５に備えられてもよい。
【００４１】
なお、図２に示した構成は一例であり、図示した機能の全部または一部は、専用に設計された回路を用いて実行されてもよい。また、図示した以外の、主記憶装置および補助記憶装置の組み合わせによってプログラムの記憶ないし実行を行ってもよい。
【００４２】
次に、広告対象車両２０の構成について説明する。図４は、広告対象車両２０の構成を示す図である。
【００４３】
広告対象車両２０は、車載装置２００や、測位装置２０５、センサ２０６、カメラ２０７、マイク２０８を有して構成される。
【００４４】
車載装置２００は、広告対象車両２０に搭載された情報処理装置であり、広告対象車両２０に乗車している乗員の属性情報を取得してサーバ装置３０へ送信する。また、本実施形態の車載装置２００は、自車位置を求め、サーバ装置３０へ送信する。車載装置２００は、例えば、ナビゲーション装置や、オーディオ装置、ドライブレコーダ等であってもよい。
【００４５】
車載装置２００は、表示装置２０１や、制御部２０２、記憶部２０３、通信部２０４を
有している。
【００４６】
表示装置２０１は、例えば、ダッシュボードの車幅方向中央に設けられ、地図や目的地までの経路、その他ユーザに対する情報を表示する。表示装置２０１は、表示領域に重畳して設けたタッチパネルを有し、当該タッチパネルに対するユーザの接触操作によって入力操作を受け付ける。
【００４７】
制御部２０２は、乗員の属性情報や位置情報の取得、及びこれらの情報の送信等の機能を司る演算装置である。制御部２０２は、ＣＰＵ（Central Processing Unit）などの演
算処理装置によって実現することができる。
【００４８】
制御部２０２は、属性取得部２０２１と、位置取得部２０２２と、通知部２０２３の機能モジュールを有して構成される。各機能モジュールは、記憶部２０３に記憶されたプログラムをＣＰＵが実行することで実現されてもよい。
【００４９】
属性取得部２０２１は、広告対象車両２０に乗車している乗員の属性情報を取得する。例えば、属性取得部２０２１は、乗員が所持するスマートフォン等の乗員端末７０にアクセスして属性情報を取得する。また、属性取得部２０２１は、カメラ２０７で撮影した車内の画像から、パターンマッチングによって、乗員の顔画像を抽出し、顔画像の数、即ち人数を求めると共に、顔画像を解析して年齢や性別を求める。また、属性取得部２０２１は、マイク２０８により乗員の音声を取得し、当該音声のフォルマントを既知のパターンと比較して年齢や性別を推定する。更に、属性取得部２０２１は、各シートに設けられたシートセンサの検出結果、即ち乗員が着座した場合の圧力を検出したシートセンサの数により、乗員の人数を取得してもよい。
【００５０】
位置取得部２０２２は、自車の位置情報を取得する。例えば、位置取得部２０２２は、測位装置２０５が複数の測位衛星から受信した信号に基づいて算出した位置情報（緯度・経度）を取得する。また、位置取得部２０２２は、路車間通信や車車間通信により、位置を示すビーコン信号を受信し、このビーコン信号に基づいて自車の位置情報を求めてもよい。位置情報は、緯度と経度に限らず、自車が位置する道路の識別情報（例えばリンク番号）や、直近の交差点等の識別情報（例えばノード番号）など、広告対象車両２０が、広告表示車両１０の近くに存在しているか否かを判定できるように広告対象車両２０の位置を示す情報であればよい。なお、広告表示車両１０の近くとは、例えば、広告表示車両１０の広告を見ることができる位置である。
【００５１】
また、位置取得部２０２２は、広告表示車両１０からビーコン信号を周期的に受信し、取得したビーコン信号を位置情報としてもよい。広告表示車両１０からビーコン信号を受信した場合、位置取得部２０２２は、当該広告表示車両１０からビーコン信号の伝達範囲内、即ち広告表示車両１０の近くに存在している状態である。
【００５２】
通知部２０２３は、属性取得部２０２１で取得した乗員の属性情報や、位置取得部２０２２で取得した位置情報をサーバ装置３０へ送信する。
【００５３】
記憶部２０３は、主記憶装置と補助記憶装置を含んで構成される。主記憶装置は、制御部２０２によって実行されるプログラムや、当該制御プログラムが利用するデータが展開されるメモリである。補助記憶装置は、制御部２０２において実行されるプログラムや、当該制御プログラムが利用するデータ（広告情報他）が記憶される装置である。補助記憶装置には、プログラムを実行するためのオペレーティングシステムを記憶してもよい。補助記憶装置に記憶されたプログラムが主記憶装置にロードされ、制御部２０２によって実行されることで、前述した機能が実現される。
【００５４】
通信部２０４は、車載装置２００を通信回線Ｎに接続するための無線通信インタフェースである。通信部２０４は、例えば、無線ＬＡＮや３Ｇ、ＬＴＥ等の移動体通信サービスを介して、通信回線Ｎへのアクセスを提供する。
【００５５】
測位装置２０５は、広告対象車両２０の位置情報を取得する手段である。測位装置２０５は、例えば、ＧＰＳ（Global Positioning System）やＧＬＯＮＡＳＳ（Global Navigation Satellite System）等の測位装置を含んで構成され、広告対象車両２０の位置情報
（例えば、緯度と経度）を算出する。測位装置は、衛星測位システムに限らず、加速度センサやジャイロセンサ、地磁気センサ、車速センサ等により、車両の進行方向と車速を検出し、自律的に自車の位置情報を求めてもよい。
【００５６】
センサ２０６は、車両１０に搭載されたセンサの集合である。センサ２０６は、例えば、車速センサ、距離センサ、舵角センサ、シートセンサといった、広告対象車両２０に係る物理量をセンサデータとして取得する一つ以上のセンサを含む。
【００５７】
カメラ２０７は、車内の前方上部に設けられ、撮影レンズを後方に向け、車内を撮影する。マイク２０８は、乗員の音声を電気信号に変換して制御部２０２へ入力する。
【００５８】
なお、図４に示した構成は一例であり、図示した機能の全部または一部は、専用に設計された回路を用いて実行されてもよい。また、図示した以外の、主記憶装置および補助記憶装置の組み合わせによってプログラムの記憶ないし実行を行ってもよい。
【００５９】
次に、サーバ装置３０の構成について説明する。図５は、サーバ装置３０のシステム構成を示す図である。サーバ装置３０は、通信部３０１、記憶部３０２、制御部３０３を含んで構成される。
【００６０】
サーバ装置３０は、汎用的な情報処理装置（コンピュータ）により構成される。サーバ装置３０は、ＣＰＵやＧＰＵ等のプロセッサ、ＲＡＭやＲＯＭ等の主記憶装置、ＥＰＲＯＭ、ハードディスクドライブ、リムーバブルメディア等の補助記憶装置を有するコンピュータである。なお、リムーバブルメディアは、例えば、ＵＳＢメモリ、あるいは、ＣＤやＤＶＤのようなディスク記録媒体であってもよい。補助記憶装置には、オペレーティングシステム（ＯＳ）、各種プログラム、各種テーブル等が格納され、そこに格納されたプログラムを主記憶装置の作業領域にロードして実行し、プログラムの実行を通じて各構成部等が制御されることによって、後述するような、所定の目的に合致した各機能を実現することができる。ただし、一部または全部の機能はＡＳＩＣやＦＰＧＡのようなハードウェア回路によって実現されてもよい。なお、サーバ装置３０は、単一のコンピュータで構成されてもよいし、互いに連携する複数台のコンピュータによって構成されてもよい。
【００６１】
通信部３０１は、サーバ装置３０を通信回線Ｎに接続するための通信インタフェースである。通信部３０１は、例えば、ネットワークインタフェースボードや、無線通信のための無線通信回路を含んで構成される。
【００６２】
記憶部３０２は、主記憶装置と補助記憶装置を含んで構成される。主記憶装置は、制御部３０３によって実行されるプログラムや、当該制御プログラムが利用するデータ（広告情報他）が展開されるメモリである。補助記憶装置は、制御部３０３において実行されるプログラムや、当該制御プログラムが利用するデータが記憶される装置である。主記憶装置および補助記憶装置については、記憶部１０３と同様であるため、詳細な説明は省略する。
【００６３】
さらに、記憶部３０２は、広告情報データベース３０２Ａを記憶する。広告情報データベース３０２Ａは、プロセッサによって実行されるデータベース管理システム（ＤＢＭＳ）のプログラムが、記憶装置に記憶されるデータを管理することで構築される。本実施形態において利用されるデータベースは、例えばリレーショナルデータベースである。
【００６４】
ここで、広告情報データベース３０２Ａに格納されるデータについて、図６を参照して説明する。図６は、広告情報データベース３０２Ａに格納される広告情報テーブルの構成の一例を示す図である。図示したように、広告情報テーブルには、広告の識別子（広告ＩＤ）、広告の属性に関する情報（符号５０１）、広告を掲出する条件に関する情報（符号５０２）、広告対象車両２０の乗員を指定する情報（符号５０３）、表示装置１０１に出力されるデータ（広告情報、符号５０４）が格納される。なお、情報５０１〜５０３は、表示装置１０１に表示させる広告情報５０４を選択するために利用されるため、広告選択情報５００とも称す。
【００６５】
広告情報５０４は、例えば、静止画像データや連続画像（スライドショー）データ、動画像データである。
【００６６】
制御部３０３は、サーバ装置３０が行う制御を司る演算装置である。制御部３０３は、ＣＰＵなどの演算処理装置によって実現することができる。
【００６７】
制御部３０３は、車両位置取得部３０３１と、周辺車両特定部３０３２と、属性取得部３０３３と、広告選択部３０３４と、表示制御部３０３５との機能モジュールを有して構成される。各機能モジュールは、補助記憶手段に記憶されたプログラムをＣＰＵによって実行することで実現してもよい。
【００６８】
車両位置取得部３０３１は、広告表示車両１０や広告対象車両２０の位置情報を取得する。例えば、車両位置取得部３０３１は、広告表示車両１０と広告対象車両２０からそれぞれ、通信回線Ｎを介して位置情報を取得する。また、車両位置取得部３０３１は、広告表示車両１０がブルートゥース等の近距離無線通信方式によって、ビーコン信号（位置情報）を発信し、このビーコン信号を受信した広告対象車両２０から、通信回線Ｎを介して当該ビーコン信号を位置情報として取得する。
【００６９】
周辺車両特定部３０３２は、車両位置取得部３０３１で取得した位置情報に基づいて広告表示車両１０の周辺に存在する広告対象車両２０を特定する。例えば、周辺車両特定部３０３２は、各車両１０，２０の位置情報に基づいて、広告表示車両１０から所定距離以内に存在する広告対象車両２０を周辺に存在するものとして特定する。また、広告対象車両２０から、広告表示車両１０のビーコン信号（位置情報）が送信され、これを周辺車両特定部３０３２が受信した場合に、送信元の広告対象車両２０が当該広告表示車両１０の周辺に存在するものとして特定する。
【００７０】
属性取得部３０３３は、広告対象車両２０に乗車している乗員の属性を示す属性情報を取得する。例えば、属性取得部３０３３は、各広告対象車両２０から通信回線Ｎを介して乗員の属性情報を取得する。
【００７１】
広告選択部３０３４は、属性取得部３０３３で取得した属性情報に基づいて広告表示車両１０の表示装置１０１に表示させる広告情報を選択する。即ち、広告選択部３０３４は、広告表示車両１０の周辺に存在する広告対象車両２０に乗車している乗員の属性情報に基づいて、表示装置１０１に表示させる広告情報を選択する。
【００７２】
表示制御部３０３５は、広告選択部３０３４で選択した広告情報を広告表示車両１０へ
送信して広告情報を表示させる。なお、広告情報を広告表示車両１０へ送信するタイミングは、広告情報を表示させる時に限定されるものはない。例えば、広告選択部３０３４は、表示する予定の広告情報を予め広告表示車両１０へ送信し、広告表示車両１０の記憶部に記憶させてもよい。この場合、表示制御部３０３５は、広告選択部３０３４で選択された広告情報の広告ＩＤと共に、広告情報を表示させる制御信号（表示命令）を広告表示車両１０へ送信することで、当該広告ＩＤで特定される広告情報を表示させる。
【００７３】
（広告表示方法）
次に、本実施形態に係る広告表示システム１００において、広告表示車両１０が実行する広告表示方法（情報処理方法）を表示させる処理について説明する。図７は、広告表示車両１０、広告対象車両２０の車載装置２００、及びサーバ装置３０が実行する処理手順を示す図である。なお、図７に示した処理は、サーバ装置３０が管理する対象である複数の広告表示車両１０のそれぞれについて周期的に（単位時間ごとに）実行される。
【００７４】
ステップＳ１０にて、車載装置２００は、広告対象車両２０の位置情報をサーバ装置３０へ送信する。ステップＳ２０にて、サーバ装置３０は、各車載装置２００から位置情報を取得する。なお、図７では、便宜上、ステップＳ１０，Ｓ２０をそれぞれ一ステップとして示したが、複数の広告対象車両２０の車載装置２００が、夫々位置情報を送信し、サーバ装置３０が、各車載装置２００からの位置情報を取得する。
【００７５】
また、ステップＳ３０にて、広告表示車両１０が位置情報をサーバ装置３０へ送信し、ステップＳ４０にて、サーバ装置３０が、広告表示車両１０から位置情報を取得する。なお、広告対象車両２０が、広告表示車両１０のビーコンを受信し、位置情報としてサーバ装置３０へ送信する場合には、ステップＳ３０，Ｓ４０は省略されてもよい。
【００７６】
ステップＳ５０にて、サーバ装置３０は、ステップＳ２０、Ｓ４０で取得した位置情報に基づいて広告表示車両１０の周辺に存在する広告対象車両２０を特定する。このとき、広告表示車両１０の周辺に複数台の広告対象車両２０が存在する場合には、これら複数台の広告対象車両２０を特定する。
【００７７】
ステップＳ６０にて、サーバ装置３０は、ステップＳ５０で特定した広告対象車両の車載装置２００に対して乗員の属性情報を要求する。これに対しステップＳ７０にて、車載装置２００は、属性取得部２０２１が取得した乗員の属性情報をサーバ装置３０へ送信する。ステップＳ８０にて、サーバ装置３０は、車載装置２００から乗員の属性情報を取得する。なお、図７では、便宜上、ステップＳ６０〜Ｓ８０をそれぞれ一ステップとして示したが、ステップＳ５０で特定した広告対象車両２０が複数存在している場合、各広告対象車両２０の車載装置２００との間で夫々ステップＳ６０〜Ｓ８０の処理を行う。
【００７８】
ステップＳ９０にて、サーバ装置３０は、広告情報データベース３０２Ａを参照し、ステップＳ８０で取得した属性情報に適合する広告情報を選択する。このとき適合する広告情報が複数ある場合、サーバ装置３０は、複数の広告情報を選択し、適合度に応じて順位をつけてもよい。ここで、適合度とは、例えば、乗員の属性情報と適合する選択情報の項目数や、選択情報に適合する乗員の人数等があげられる。なお、広告情報を選択する具体的な例については後述する。
【００７９】
ステップＳ１００にて、サーバ装置３０は、ステップＳ９０で選択した広告情報を表示させる制御を行う。例えば、サーバ装置３０は、ステップＳ９０で選択した広告情報を広告表示車両１０へ送信する。ステップＳ１１０にて、サーバ装置３０から広告情報を受信した広告表示車両１０は、この広告情報を表示装置１０１に表示する。なお、広告情報が、予め広告表示車両１０の記憶部１０３に記憶されている場合、ステップＳ１００にて、
サーバ装置３０は、ステップＳ９０で選択した広告情報の広告ＩＤと表示命令を広告表示車両１０へ送信する。この広告ＩＤと表示命令を受信した広告表示車両１０は、当該広告ＩＤで特定される広告情報を記憶部１０３から読み出し、当該広告情報を表示装置１０１に表示する。
【００８０】
図８は、複数の広告対象車両に乗車する乗員の属性情報の一例を示す図である。例えば、広告対象車両２０Ａは、３５歳の男性と、３０歳の女性と、３歳の男性が乗車しており、広告対象車両２０Ａの車載装置２００は、夫々の属性情報を取得する。また、車載装置２００は、運転者と他の乗員との間柄も属性情報として取得する。広告対象車両２０Ａの例では、３０歳の女性が、配偶者、３歳の男性が、子である。即ち、広告対象車両２０Ａの乗員は、家族である。なお、間柄は、家族に限らず、友人、同僚、顧客等であってもよい。
【００８１】
これらの属性情報は、例えば、乗員が、夫々スマートフォン等の乗員端末７０に登録しておき、広告対象車両２０Ａの車載装置２００から要求された場合に、当該属性情報を車載装置２００へ送信する。そして、車載装置２００が、属性情報をサーバ装置３０へ送信する。また、属性情報は、乗員端末７０に登録しておく構成に限らず、乗員が利用する店舗や通販サイト等の情報処理装置に、年齢や性別等の属性情報がユーザ情報として登録されている場合、当該情報処理装置からサーバ装置３０へ送信してもよい。例えば、乗員端末７０がユーザＩＤを車載装置２００へ送信、車載装置２００が、ユーザＩＤをサーバ装置３０へ送信する。そして、サーバ装置３０が、前記店舗や通販サイト等の情報処理装置から、前記ユーザＩＤで特定されるユーザ情報を属性情報として取得する。
【００８２】
なお、乗員端末７０を有していない乗員の属性情報については、乗員端末７０を有している乗員の属性情報に基づいて推定してもよい。例えば、広告対象車両２０Ａの例では、運転者と配偶者は乗員端末７０を有しており、子は乗員端末を有していない。運転者の属性情報に家族構成として、配偶者と、３歳の男の子がいることが登録されており、シートセンサの検出結果や、カメラ２０７の撮影画像から、乗員端末７０を有していない乗員が検出された場合、運転者の子が乗車していると推定し、子の属性情報を運転者の属性情報から取得する。他の広告対象車両２０Ｂ〜２０Ｆについても広告対象車両２０Ａと同様に、年齢、性別、間柄を属性情報として取得する。
【００８３】
サーバ装置３０は、広告情報データベース３０２Ａを参照し、取得した属性情報に適合する広告情報を選択する。図６の例では、広告ＩＤがＡ１０１の土産品は、広告選択情報５００として、性別、年齢、間柄の条件を夫々、全性別、４５歳以上、家族、としている。広告ＩＤがＡ１０２の温泉は、広告選択情報５００として、性別、年齢、間柄の条件を夫々、女性、４０歳以上、全て、としている。また、広告ＩＤがＡ１０３のテーマパークや夜景スポットについても図６に示すように夫々設定されている。
【００８４】
サーバ装置３０は、ステップＳ５０にて、広告表示車両１０の周囲に、例えば、広告対象車両２０Ａ，２０Ｂ，２０Ｄが存在すると判定した場合、ステップＳ９０で各広告情報の広告選択情報５００に属性情報が適合する乗員の人数を求める。例えば、広告ＩＤがＡ１０１の土産品の場合、性別の条件が全であるので、全ての乗員、即ち１１人が適合する。また、年齢の条件が４５歳以上であるので、５人が適合する。更に間柄の条件が家族であるので、８人が適合する。このように広告ＩＤがＡ１０１の土産品の場合、適合する乗員の延べ人数は、２４人である。
【００８５】
同様に各広告情報の広告選択情報５００に属性情報が適合する乗員の人数を求めた場合、広告ＩＤがＡ１０２の温泉は２３人、広告ＩＤがＡ１０３のテーマパークは２０人、広告ＩＤがＡ１０４の夜景スポットは１７人である。このため、適合人数が最も多い土産品
の広告情報を選択し、広告表示車両１０に表示させる。なお、広告情報を所定時間毎に切り換えて表示する場合、適合人数が最も多い順、即ち土産品、温泉、テーマパーク、夜景スポットの順で表示させてもよい。
【００８６】
また、ステップＳ５０にて、サーバ装置３０が、広告表示車両１０の周囲に、例えば、広告対象車両２０Ｂ，２０Ｄ，２０Ｆが存在すると判定した場合、各広告情報の広告選択情報５００に属性情報が適合する乗員の人数を求める。この場合、広告ＩＤがＡ１０１の土産品は２３人、広告ＩＤがＡ１０２の温泉は２４人、広告ＩＤがＡ１０３のテーマパークは１８人、広告ＩＤがＡ１０４の夜景スポットは１７人である。このため、適合人数が最も多い温泉の広告情報を選択し、広告表示車両１０に表示させる。
【００８７】
同様に、広告表示車両１０の周囲に広告対象車両２０Ｃ，２０Ｄ，２０Ｅが存在すると判定した場合、適合人数が最も多いテーマパークの広告情報を選択して、広告表示車両１０に表示させる。また、広告表示車両１０の周囲に広告対象車両２０Ｃ，２０Ｄ，２０Ｆが存在すると判定した場合、適合人数が最も多い夜景スポットの広告情報を選択して、広告表示車両１０に表示させる。
【００８８】
なお、図８の例では、簡単のため、属性情報として、年齢、性別、間柄のみを用いた例を示したが、属性情報は、これに限らず、乗員の趣味や、指定のジャンル、指定のキーワード、購入履歴など、この他の情報を含んでもよい。即ち、サーバ装置３０は、年齢、性別、間柄に限らず、乗員の趣味や、指定のジャンル、指定のキーワード、購入履歴など、この他の情報に基づいて広告情報を選択してもよい。また、サーバ装置３０は、広告を掲出する条件に関する情報５０２に基づいて広告情報を選択してもよい。例えば、広告ＩＤがＡ１０１の土産品の場合、表示時間帯が９−１３時であるため、この時間帯内であれば、ステップＳ９０で選択する対象とし、この時間帯でなければ、選択の対象から除外する。また、広告ＩＤがＡ１０２の温泉の場合、表示エリアが近畿であるため、広告表示車両１０がこのエリア（近畿地方）を走行している場合には、ステップＳ９０で選択する対象とし、このエリアを走行していなければ、選択の対象から除外する。
【００８９】
このように広告表示車両１０の周辺に存在する複数の広告対象車両に乗車している乗員の属性情報に基づいて広告情報を選択して表示させているので、多くの乗員にとって関心のある適切な広告情報を表示させることができ、広告の効果を高めることができる。
【００９０】
（第二実施形態）
本実施形態では、乗員の属性情報に加えて、各広告対象車両の目的地に応じて広告情報を選択してもよい。なお、本実施形態は、前述の第一実施形態と比べ、この目的地に応じて広告情報を選択する構成以外は同じであるので、同一の要素に同符号を付す等して、再度の説明を省略する。
【００９１】
図９は、第二実施形態に係る広告対象車両２０の構成を示す図である。本実施形態の車載装置２００は、自車位置を求める機能を有し、ユーザが目的地を設定した場合に、自車位置から目的地までの経路を求め、当該経路の案内を行う所謂ナビゲーション装置である。車載装置２００は、ナビゲーション機能の他、オーディオ機能や、ドライブレコーダ機能等、他の機能を備える装置であってもよい。
【００９２】
図９に示すように、本実施形態の制御部２０２は、属性取得部２０２１と、位置取得部２０２２と、通知部２０２３に加えて、目的地取得部２０２４と、経路設定部２０２５と、経路案内部２０２６の機能モジュールを有して構成される。
【００９３】
目的地取得部２０２４は、ユーザの操作によって目的地が入力され、当該目的地の位置
情報を取得する。例えば、目的地の住所や名称が入力され、記憶部に記憶された地図情報を参照し、入力された住所や名称に対応する位置情報（例えば緯度・経度）を求める。
【００９４】
経路設定部２０２５は、現在地から目的地取得部２０２４で取得した目的地までの経路を地図情報から求め、最も距離が短い経路を目的地までの最適経路として設定する。
【００９５】
経路案内部２０２６は、経路設定部２０２５で設定した経路を表示装置に表示させると共に、運転者に対して音声メッセージ等で経路案内を行う。
【００９６】
通知部２０２３は、乗員の属性情報や位置情報に加えて、目的地取得部２０２４で取得した目的地の情報をサーバ装置３０へ送信する。
【００９７】
これに対し、サーバ装置３０の広告選択部３０３４は、目的地に基づいて各広告対象車両２０をグループに分け、グループ毎に、当該グループに分類された車両に乗車している乗員の属性情報に基づいて、広告情報を選択する。
【００９８】
図１０は、第二実施形態に係る、広告表示車両１０、広告対象車両２０の車載装置２００、及びサーバ装置３０が実行する処理手順を示す図である。なお、ステップＳ１０〜Ｓ６０の処理は、前述の図７と同じである。
【００９９】
ステップＳ７０Ａにて、車載装置２００は、属性取得部２０２１が取得した乗員の属性情報に加えて、目的地取得部２０２４で取得した目的地の位置情報をサーバ装置３０へ送信する。ステップＳ８０Ａにて、サーバ装置３０は、車載装置２００から乗員の属性情報及び目的地の位置情報を取得する。
【０１００】
ステップＳ８５にて、サーバ装置３０は、前記目的地に基づいて前記複数台の広告対象車両をグループに分ける。例えば、目的地が近い広告対象車両２０を同じグループに分類する。なお、目的地が近いとは、例えば、目的地間が所定距離（例えば２０ｋｍ）以内の場合や、同じエリア（市区町村、地域メッシュ等）の場合である。
【０１０１】
ステップＳ９０Ａにて、サーバ装置３０は、同じグループ毎に、当該グループに分類された広告対象車両２０に乗車している乗員の属性情報に適合する広告情報を選択する。例えば、広告表示車両１０の周辺に広告対象車両２０Ａ〜２０Ｆが存在する場合に、広告対象車両２０Ａ〜２０Ｃの目的地が名古屋、広告対象車両２０Ａ〜２０Ｃの目的地が京都の場合、広告対象車両２０Ａ〜２０Ｃに乗車している乗員の属性情報に基づいて広告を選択すると共に、広告対象車両２０Ａ〜２０Ｃに乗車している乗員の属性情報に基づいて広告を選択する。
【０１０２】
なお、複数のグループに分類した場合、グループ毎に広告情報が選択されるため、最も適合度（例えば適合人数）が高いものを選択してもよいし、適合度に応じて順位を付けて複数選択してもよい。また、複数の広告情報を選択する場合、広告表示車両１０の走行経路から先に外れるグループ、例えば目的地が名古屋のグループの広告情報を先に表示する順位とし、京都のグループの広告情報を後から表示する順位としてもよい。
【０１０３】
また、広告対象車両２０の目的地は、グループ分けだけでなく、広告情報の選択を行う際、乗員の属性情報として用いてもよい。これにより、名古屋へ行くグループには土産品、京都へ行くグループには着物など、目的地を加味して広告の選択を行うことができる。なお、ステップＳ１００〜Ｓ１１０の処理は、図７と同じである。
【０１０４】
このように本実施形態によれば、目的地に応じて広告対象車両を絞り込むため、各広告
対象車両の乗員に対して、より的確な広告情報を表示させることができ、広告の効果を更に高めることができる。
【０１０５】
（変形例）
本変形例では、各広告対象車両２０の位置情報と、目的地と、車速とに基づいて、広告表示車両１０の周辺に存在する複数台の広告対象車両２０を特定する。なお、本変形例は、前述の第二実施形態と比べ、この目的地に応じて広告情報を選択する構成以外は同じであるので、同一の要素に同符号を付す等して、再度の説明を省略する。
【０１０６】
図１１は、本変形例に係る広告対象車両２０の構成を示す図である。図１１に示すように、本変形例の制御部２０２は、図９の構成に加えて、車速取得部２０２７の機能モジュールを有して構成される。
【０１０７】
車速取得部２０２７は、センサ２０６から広告対象車両２０の車速を取得する。通知部２０２３は、位置情報に加え、目的地取得部２０２４で取得した目的地の情報や車速取得部２０２７で取得した車速をサーバ装置３０へ送信する。
【０１０８】
これに対し、サーバ装置３０の周辺車両特定部３０３２は、取得した位置情報、目的地、及び車速に基づいて、広告情報の表示を予定する期間（以下表示予定期間とも称す）に、広告表示車両１０の周辺に存在する広告対象車両２０を特定する。例えば、周辺車両特定部３０３２は、各広告対象車両の位置情報と目的地とから広告対象車両の走行経路を求めると共に、当該広告対象車両２０の車速から、次に選択する広告情報の表示予定期間に、当該広告対象車両２０が走行している位置を推定する。そして、周辺車両特定部３０３２は、広告対象車両２０の走行経路が広告表示車両１０と一致し、推定した広告対象車両２０の走行位置が、表示予定期間において広告表示車両１０の周辺である場合に、当該広告対象車両２０が広告表示車両１０の周辺に存在するものとして特定する。即ち、サーバ装置３０が、広告表示車両１０の周辺に存在する広告対象車両２０を特定する時点で、広告表示車両１０の近くに存在していたとしても、速度や走行経路が異なると、実際に広告情報を表示した際に、広告表示車両１０から離れてしまうこともある。このため、本変形例の周辺車両特定部３０３２は、各広告対象車両２０の走行経路と速度から、次に選択する広告情報を表示する期間において広告表示車両の周辺に存在する広告対象車両２０を推定する。なお、周辺車両特定部３０３２は、広告表示車両１０の走行経路を予め取得しており、定期的に取得する広告表示車両１０の走行位置に基づいて広告表示車両の速度を求め、表示期間における走行位置を求める。
【０１０９】
図１２は、本変形例に係る、広告表示車両１０、広告対象車両２０の車載装置２００、及びサーバ装置３０が実行する処理手順を示す図である。
【０１１０】
ステップＳ１０Ｂにて、車載装置２００は、広告対象車両２０の位置情報と、目的地と、車速をサーバ装置３０へ送信する。ステップＳ２０にて、サーバ装置３０は、各車載装置２００から位置情報を取得する。
【０１１１】
また、ステップＳ３０にて、広告表示車両１０が位置情報をサーバ装置３０へ送信し、ステップＳ４０にて、サーバ装置３０が、広告表示車両１０から位置情報を取得する。なお、ステップＳ３０にて。広告表示車両１０が、位置情報と共に、車速や走行経路を送信して、サーバ装置３０の処理を減らすようにしてもよい。
【０１１２】
ステップＳ５０Ｂにて、サーバ装置３０は、ステップＳ２０で取得した位置情報、目的地、車速に基づいて、表示予定期間における広告対象車両２０の走行位置を推定する。なお、サーバ装置３０は、図１２の処理を繰り返し実行しているので、ステップＳ４０にお
ける広告表示車両１０の位置情報も定期的に取得している。また、サーバ装置３０は、広告表示車両１０の走行経路を予め記憶している。サーバ装置３０は、この繰り返し取得した位置情報と走行経路とに基づいて、広告表示車両１０の車速を求め、この車速と走行経路に基づいて、表示予定期間における広告表示車両１０の走行位置を推定する。そして、サーバ装置３０は、表示予定期間における推定した広告表示車両１０の走行位置周辺に存在する広告対象車両２０を特定する。
【０１１３】
ステップＳ６０〜Ｓ８０は、前述の図７と同じであり、ステップＳ８５〜Ｓ１１０は、前述の図１０と同じである。即ち、サーバ装置３０は、目的地に基づいて各広告対象車両２０をグループに分け、グループ毎に広告情報を選択し、選択した広告情報を表示させる。
【０１１４】
このように本変形例では、目的地と車速に基づいて各広告対象車両２０の走行位置を推定し、表示予定期間において広告表示車両１０の周辺に存在する広告対象車両２０を特定する。このため、表示予定期間において広告対象車両２０が広告表示車両１０の周辺から外れてしまうことが抑えられ、広告の効果を高めることができる。
【０１１５】
なお、本変形例では、ステップＳ８０の次以降のステップＳ８５〜Ｓ１１０を図１０と同じとしたが、第一実施形態における図７のステップＳ９０〜Ｓ１１０と同じとしてもよい。
【０１１６】
（その他の変形例）
本開示において説明した処理や手段は、技術的な矛盾が生じない限りにおいて、自由に組み合わせて実施することができる。
【０１１７】
例えば、前述の実施形態及び変形例では、サーバ装置３０が広告情報を選択する処理を実行したが、広告表示車両１０の制御部１０２が実行する構成としても構わない。即ち、制御部１０２が、広告情報や乗員の属性情報等の必要な情報をサーバ装置３０を介して取得し、広告情報を選択して表示する。また、サーバ装置３０の処理を全て制御部１０２が行う構成とし、制御部１０２が、広告対象車両２０から位置情報や属性情報等の必要な情報を取得し、広告情報を選択して表示してもよい。
【０１１８】
本発明は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよい。非一時的なコンピュータ可読記憶媒体は、例えば、磁気ディスク（フロッピー（登録商標）ディスク、ハードディスクドライブ（ＨＤＤ）等）、光ディスク（ＣＤ−ＲＯＭ、ＤＶＤディスク・ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【０１１９】
１        ：引用文献
１０      ：広告表示車両
２０      ：広告対象車両
３０      ：サーバ装置
７０      ：乗員端末
１００    ：広告表示システム
２００    ：車載装置
Ｎ        ：通信回線
【図１】
2020052072.tif 000003
【図２】
2020052072.tif 000004
【図３】
2020052072.tif 000005
【図４】
2020052072.tif 000006
【図５】
2020052072.tif 000007
【図６】
2020052072.tif 000008
【図７】
2020052072.tif 000009
【図８】
2020052072.tif 000010
【図９】
2020052072.tif 000011
【図１０】
2020052072.tif 000012
【図１１】
2020052072.tif 000013
【図１２】
2020052072.tif 000014